Podtech/llm-jp-corpus-v4-ja_patent huggingface dataset:
(57)【要約】【課題】従来のバックホゥは荷役積み込み時、現状の積み込み重量が把握できずに過積載又は積載過少になるという問題があった。これは、積載物の種類、形状のばらつき等により運転手の判断にゆだねるものだからである。【解決手段】積載物の重量を加算ボタンにて加算していき積載物の合計重量を把握しモニターの数値を確認しながら積み込みをすることにより規定重量の積み込みを可能にし過積載又は積載過少を防止することができる。【選択図】図２
2014102241.tif 000002
【特許請求の範囲】
【請求項１】
計量機能を兼ね備えたバックホゥ本体と運転席内に配置したモニターにより運搬車両等に積み込む際に現状の積載物の重量を計測し運転席内の重量加算ボタンを押して重量を加算していくことにより積載物全体の総重量を把握することのできるバックホゥ。
【発明の詳細な説明】
【技術分野】
【０００１】  本発明は、荷役時の積み込み総重量を明確に把握するバックホゥに関する。
【技術背景】
【０００２】  従来の建設機械のバックホゥにて建材や残土、又はコンクリートガラ等廃材をダンプ車等に積み込む場合、積載総重量は運転手の感覚にゆだねられているのが現状である。
【発明の開示】
【発明が解決しようとする課題】
【０００３】  以上に述べた従来の積み込み方法では積載物総重量が一定しないばかりか、過積載の原因にもなり道路を傷めるばかりでなく、交通事故の増加にも拍車をかける。また、積載過少の場合は必要以上の車両台数となり経費の圧迫やＣｏ２の増加、周辺住民への負担増等々が代表的なものとして挙げられる。【０００４】  本発明は、このような従来の積み込み時に有していた問題を解決しようとするものであり、積載物総重量を明確に把握し、過積載又は積載過少をなくし適正な重量の積み込みを目的とするものである。
【課題を解決するための手段】
【０００５】  そして本発明は上記目的を達成するために、計量機能を兼ね備えたバックホゥ本体と運転席内に配置したモニターにより現状の荷役の重量を計測し運転席内の重量加算ボタンを押して重量を加算していくことにより積載物全体の総重量を把握することを可能にしたものである。【０００６】  上記の課題解決手段による作用は次の通りである。すなわち、バックホゥのアタッチメントがバケットタイプの場合、荷役した土砂等を積み込む際に運転席内のモニターにて現状の重量を計測し、その状態で加算スイッチにて重量を加算していき現状の総重量を把握することができるのでダンプ車等運搬車両の規定積載量にて積み込みを終えることが可能となり、過積載又は積載過少を防止することができる。尚、解体作業時等に使用するハサミタイプやその他アタッチメントでも同様である。
【発明の効果】
【０００７】  上述したように本発明の積載物重量加算機能付きバックホゥは、過積載や積載過少を防止するとともに、運搬車両の安全運行や環境保全の一端を担うことが出来る。【０００８】  また、雨天時の雨等、水分を含んだ土砂やコンクリートガラ、アスファルトガラ等形状や比重に関係なく計測が可能であり、最終処分証明等の速やかな発行にも効果を発揮するものである。さらに上記記述の解体作業等に使用するハサミタイプのアタッチメントにて異形の廃材を積み込む場合も例外ではなく積み込み作業中にやむなく他の作業を行う際には加算スイッチを押さずに作業を行い作業終了後、積み込みを再開することにより効率を損なうことなく作業に従事することができる。
【発明の実施するための最良の形態】
【０００９】  以下、本発明の実施の形態を図１〜図３に基づいて説明する。
【００１０】  図においては、１は運転席外観、２はアタッチメント、運転席内部に移り３は椅子、４は前後の移動レバー、５は足踏み式の場合の加算スイッチ、６並びに７は操作レバーである。６又は７の操作レバーには加算スイッチが装備される。
【００１１】  ８は操作盤であるが詳細が図３である。９はモニター、１０は規定重量の設定ボタン、１１には９のモニターの数値のリセットボタン、１２については各部を可動させるための油圧シリンダーである。
【００１２】  以下、上記構成の動作を説明する。２のバケットにて土砂等の積荷をすくい上げた際、１２の油圧シリンダーにかかった荷重をプレッシャースイッチ等のセンサーをもちいて数値化し９のモニターに現状の重量を表示し６又は７のレバーに設置してある加算ボタンにより重量の数値を保留し、積み込んで空になった状態から次の積荷をすくい前回同様に加算ボタンを押すことにより累積の積み込み重量を把握することができるようなる。この動作を繰り返し行い運搬車両の規定重量に達したところで積み込みを終了し１１のリセットボタンにて９のモニターの数値をリセット状態に戻す。２のアタッチメントの種類にかかわらず土砂、コンクリートガラ等の建築現場関連はもとよりすべての積み込み作業に対応できるため移動式クレーン仕様のバックホゥはもちろんフォークリフト等、油圧シリンダーを使用するあらゆる積み込み機械も対象になる。加算スイッチについては５の足踏み式や６並びに７のレバー設置式等があるが６又は７のレバー設置式が望ましい。加算スイッチ非設置側は警笛である。
１０の規定重量の設定ボタンについては運搬車両の規定重量を超えると警告音がなり運転手に知らせる機能等があるが９のモニターにての目視確認で規定重量を積み込むことが望ましい。
ここでいう運搬車両の規定重量とは現行のダンプ車を目安にすると２ｔ，４ｔ，１０ｔ等である。
【００１３】  また、９のモニター内で手動にて規定重量を定める場合は１０を規定重量の設定の上下並びに決定ボタンに使用する。
【００１４】  また、図３の操作盤であるが、既存の建設機械等に追加にて取り付けを行う場合がある為運転席の内部外部は問わないが機器の性質上、運転席内部への取り付けが望ましい。
以上のように、本実施形態によれば運搬車両に規定重量の安定効果が得られるものである。
【図面の簡単な説明】
【００１５】
【図１】バックホゥ外観図
【図２】運転席見取り図
【図３】モニター詳細図
【符号の説明】
【００１６】        ５    足踏み式加算スイッチ
６又は７    レバー設置式加算スイッチ
９    重量モニター
１２    油圧シリンダー
【図１】
2014102241.tif 000003
【図２】
2014102241.tif 000004
【図３】
2014102241.tif 000005
(57)【要約】【課題】コンピュータ用のディスプレイは年々画素数が増加しているが、1920x1200のサイズにコスト的な壁がある。 LCDパネルの問題よりはインタフェースの問題の方が大きい。 近い将来、4K2Kサイズに到達すると云われているが、現状のディスプレイ・インタフェースの延長では4K2Kに到達するまでに多くのモデルチェンジが必要である。【解決手段】4K2Kのディスプレイまで実現できる、コンピュータ・ディスプレイを提供する。 コンピュータのホストシステムはコンピュータの画像情報をH.265などでエンコードし、帯域を10Mbps程度に落とし、通信回線を通じ、コンピュータ・ディスプレイのホスト・インタフェースから供給する。 一方、コンピュータ・ディスプレイに接続された、マウス、キーボード等の信号はアップストリームとして、ホスト・インタフェースから、ホスト・コンピュータに送信する。【選択図】図１
2014102599.tif 000002
【特許請求の範囲】
【請求項１】
画素数が1,920ｘ1,080以上のコンピュータ用ディスプレイ端末で有って、少なくとも一つ以上の双方向通信ホスト・インタフェース、画像を表示するための表示器、オーディオ出力用のスピーカーもしくはスピーカー端子、マウス、キーボード、タッチパネル等を接続する為の入力端子を有し、かつ、該ホスト・インタフェースに供給される、オーディオおよびビデオの圧縮されたダウン・ストリームを分離・伸長する機能により、音声出力と画像出力を実現し、マウス、キーボード、タッチパネルから供給される利用者の操作による信号をアップ・ストリームとして該ホスト・インタフェースから出力する事を特徴とするもの。
【請求項２】
請求項に基づくディスプレイ端末に置いて、パーソナルコンピュータに準拠したRGB、HDMIなどの画像入力端子を有し、ホスト・インタフェースより入力され表示させている画像と交換する事、および、ホストコンピュータの画像内に小ウインドウとして表示する機能を有した物。
【発明の詳細な説明】
【技術分野】
【０００１】
本発明はネットワークやUSBなどの比較的低速回線を使用し、FullHD以上の表示部に動画を表示できるコンピュータ端末に関するものである。
【背景技術】
【０００２】
近年デジタルテレビの普及により、フラットディスプレイの画素数4000x2000クラスが生産されている。 しかしながら、一般的に普及しているビデオ・インタフェース（たとえば、HDMIなど）では、現状1,920x1,200が上限であり、高画質の映像制作やCAD端末に使用されるコンピュータ・ディスプレイでは、これらのインタフェースを複数使う事や新開発のビデオ・インタフェースを使用せざるを得ない。
【０００３】
しかしながら、近い将来画面サイズはテレビ放送も含めて、4,096X2,160クラス（以後4K2Kと記す）となる事が予想されるが、新開発のビデオ・インタフェースは4K2Kをカバーしないか、あるいは高額である欠点がある。
【先行技術文献】
【特許文献】
【０００４】
【特許文献１】特許公開平９−２３７０７３
【特許文献２】特許公表２０１０−５２９５６７
【特許文献３】特許公表２００９−５１４１２４
【発明の概要】
【発明が解決しようとする課題】
【０００５】
ディスプレイ・インタフェースは画素数の増大に併せて、段階的に進化して来た関係でインタフェース仕様は大きく３種類ある。 それらはアナログ方式のRGB、デジタル方式ではDVIとHDMIなどである。 それぞれの仕様にはリビジョンが有り、リビジョンの改定が頻繁なため、購入したパーソナル・コンピューターが短期間で陳腐化する要因になっている。   実際問題として、4K2Kの普及が目前に迫っているので、4K2K普及後も継続して使用できるビデオ・インタフェースが望まれる。
【課題を解決するための手段】
【０００６】
現状のパーソナル・コンピュータ・システムは、本体に対し、ヒューマン・インタフェースが個別に出ている。 すなわち、コンピュータの出力として、モニター・ディスプレイとオーディオ出力があり、入力として、マウス、キーボード、タッチパネルがある。
【０００７】
しかしながら、利用者にとってはディスプレイ、マウス、キーボードなどが操作の基本対象であり、本体が近くにある必要は本質的に無い。 近くにある理由はビデオ・インタフェースのケーブルが延長に適しない事による。 このビデオ・インタフェースを動画画像圧縮技術を使い、ビットレートを10Mbps程度にする事で、4K2Kまで対応できる、コンピュータ・ディスプレイを提供できる。
【図面の簡単な説明】
【０００８】
【図１】本発明によるコンピュータ・ディスプレイの機能ブロック図
【図２】本発明の実施例
【発明を実施するための形態】
【０００９】
本発明の機能ブロック図（図1）に沿って説明する。
【００１０】
［101］は表示器である。 表示器にタッチパネルが取り付けられている場合もある。 双方向性ホスト・インタフェースとして、イーサーネット［102］およびUSB（デバイス）［103］を想定している。 ホスト・コンピュータから供給（ダウンストリーム）される圧縮済みストリームはビデオ・ストリームとオーディオ・ストリームが多重化されており、TS（トランスポート・ストリーム）と呼ばれる。 このＴＳはデマルチプレクサ［104］によって、ビデオ・ストリームとオーディオ・ストリームに分離され、それぞれビデオ・デコーダ［105］とオーディオ・デコーダ［106］に供給され、復元（伸長）され、ドライバー回路を経由して、表示器とスピーカに供給される。 一方、マウスの信号、キーボードの信号、および、必要によって、タッチパネル信号とともに多重化され、ホスト・コンピュータに送信（アップストリーム）される。
【実施例】
【００１１】
図2は実施例である。 本例に置けるホスト・インタフェースもイーサーネットとUSBを想定しているが通信品質が満たされればWiFiも利用できる。
【００１２】
ユーザー・インターフェース出力は表示器とスピーカーである。 前記のホスト・インタフェースから取り込まれたオーディオ/ビデオ・ストリームはソフトウエア/ハードウエア処理により、ビデオとオーディオに分離され、ビデオはDECODERにより、ビットマップ・イメージとなり、イメージ・プロセッサーにより、成形後表示器に送られる。 オーディオ・ストリームもオーディオ・デコーダにより、PCM化され、オーディオ出力として、スピーカに送られる。
【００１３】
一方で、マウスとキーボード信号はUSBポートで受信後ホスト・インタフェース（イーサーネットまたはUSBデバイス）経由でアップロードされる。
【００１４】
RGBとHDMI入力は従来のPCを接続する手段である。 このビデオ入力はビットマップデータで有りデコーダを経由せずに成形され表示器に送られる。 HDMIポートに含まれるオーディオ・データはスピーカに接続する事が出来る。 また、これらのビデオ/オーディオ入力使用時はマウス/キーボードの信号をエミュレートして、USBデバイスの一つに送出する事が出来る。
【図１】
2014102599.tif 000003
【図２】
2014102599.tif 000004
(57)【要約】【課題】従来は、登山バッチを留めることに特化したものがなかったため、新たに構造したものと、ニーズに応じた登山を推奨する登山マップを組み合わせた布製の台紙を提供する。【解決手段】布３と棒４及びひも５で構成し、登山推奨マップ１と登山バッチを留める箇所２で形成する。ニーズに応じた登山を推奨し、指定した山の一つに登頂すれば、登山バッチを留める箇所２に登山バッチを付すことができる。【選択図】図１
2014102483.tif 000002
【特許請求の範囲】
【請求項１】
登山バッチを留めることを目的とした構造であるところ
【請求項２】
ニーズに応じた登山推奨マップを布一枚で構造したところ
【請求項３】
登山バッチを留める箇所とニーズに応じた登山推奨マップの二つの要素を組み合わせた構造であるところ
【発明の詳細な説明】
【技術分野】
【０００１】  本発明は、ニーズに応じた登山の推奨と、山に登頂した証を、登山バッチを用いて布製の台紙に記録するものである。
【背景技術】
【０００２】  従来は登山バッチを留めるのに特化した構造のものがなかった。又、登山バッチを留めるのに特化した構造のものと、ニーズに応じた登山を推奨する二つの要素を組み合わせた構造のものもなかった。
【先行技術文献】
【０００３】
【発明の概要】
【発明が解決しようとする課題】
【０００４】  登山者は山に登頂した証を残したいものである。その手段として多く用いられているが登山バッチである。この登山バッチを購入した者は、帽子やリュックに留めたり、あるいは引き出しにしまったりしてきた。又、幾多の登頂に挑戦している者や、テーマを決めて登山を志している者は、登頂してきた記録を明確に残すため、自ら無地の布等を用いて台紙を制作し、証を残してきた。この手間を解消するため、日本百名山完頂挑戦者は、「日本百名山のれん」を代用し、山名の書かれた部分に登山バッチを留めて保管してきた。しかし、商品の構造上、留めるスペースが狭く、山名が登山バッチで隠れてしまうことや、登山バッチ同士が重なったりする等の難点があった。本発明はこの課題を解消するためになされたものである。
【課題を解決するための手段】
【０００５】  前項で説明をした課題を解決するために、登山バッチを留めるのに特化した構造のもの（２）と、プラスアルファのアイデアとして、ニーズ（それぞれのテーマ）に応じた登山推奨マップ（１）を組み合わせた布製の台紙を発明した。
【発明の効果】
【０００６】  上級者向け登山、ファミリー向け登山、あるいは関東近郊で日帰り登山を望んでいる者向け登山等のニーズに応じた登山推奨マップ（１）を設けたことで、登山を促す。たとえば、東京に住んでいるファミリー向けに登山を推奨するのであれば、比較的に標高が低く安全で気軽に楽しく登れる「高尾山」や「筑波山」、あるいは神奈川の「大山」等を紹介し、登山推奨マップ（１）にその場所を示す。登頂後、山の売店等で購入した登山バッチを、予め指定した登山バッチを留める箇所（２）に付せば、証を残せる。又、既に登頂した山、まだ登頂していない山が容易に確認できる。
この二つの要素を組み合わせた布製の台紙を目立つ場所に掛ければ、日常生活の中で、登頂した達成感や喜びを味わえ、次回の登頂を促す効果が期待される。
この発明により、登山者数の増加が期待でき、このことは地域経済の活性化や国民の健康促進につながると考えている。
【図面の簡単な説明】
【０００７】
【図１】  本発明の全体図である。
【発明を実施するための形態】
【０００８】以下、本発明の実施の形態について説明する。
（イ）．布（３）の上下に棒（４）を取り付ける。上の棒にひも（５）を付ける。
（ロ）．布の上部には登山推奨マップ（１）、下部には指定した登山バッチを留める箇所（２）を設ける。
【符号の説明】
【０００９】１  登山推奨マップ
２  登山バッチを留める箇所
３  布
４  棒
５  ひも
【図１】
2014102483.tif 000003
(57)【要約】【課題】本発明は、片手で起動できる電子装置を提供することを目的とする。【解決手段】本発明に係る電子装置は、正面及び側面を備える。正面にはディスプレイ部が設置され、正面においてディスプレイ部の上方には第一センサ区域が設置され、側面には第二センサ区域が設置され、第一センサ区域及び第二センサ区域が同時にタッチされると電子装置が起動する。【選択図】図１
2014155220.tif 000002
【特許請求の範囲】
【請求項１】
正面及び側面を備えてなる電子装置であって、前記正面にはディスプレイ部が設置され、前記正面において前記ディスプレイ部の上方には第一センサ区域が設置され、前記側面には第二センサ区域が設置され、前記第一センサ区域及び前記第二センサ区域を同時にタッチすることで、前記電子装置を起動させることを特徴とする電子装置。
【請求項２】
前記第一センサ区域及び前記第二センサ区域は、カーボンナノチューブ材料によって電子装置表面を覆うことを特徴とする請求項１に記載の電子装置。
【請求項３】
前記第一センサ区域及び前記第二センサ区域は、片手の２つの指に同時にそれぞれタッチされることを特徴とする請求項１又は２に記載の電子装置。
【請求項４】
第一センサ区域及び第二センサ区域が同時にタッチされると感応するステップと、
第一センサ区域及び第二センサ区域がタッチされる時間が設定値より上回るかどうかを判断するステップと、
タッチされた時間が設定値より上回った場合、電子装置を起動させ、タッチされた時間は設定値より上回らなかった場合、電子装置は起動しないことを特徴とする電子装置の起動方法。
【発明の詳細な説明】
【技術分野】
【０００１】
本発明は、電子装置に関するものである。
【背景技術】
【０００２】
従来の技術において、携帯電話などの携帯式の電子装置を待機モードから仕事モードに切り替えるには、１つの手で電子装置を握り、もう１つの手で起動ボタンを押さなければならず、両手を使わなければならない。このような場合、他の仕事ができなかったり、体の不自由な人にとって不便である。
【発明の概要】
【発明が解決しようとする課題】
【０００３】
本発明の目的は、前記問題を解決し、片手で起動できる電子装置を提供することである。
【課題を解決するための手段】
【０００４】
上記目的を達成するために、本発明に係る電子装置は、正面及び側面を備える。前記正面にはディスプレイ部が設置され、前記正面において前記ディスプレイ部の上方には第一センサ区域が設置され、前記側面には第二センサ区域が設置され、前記第一センサ区域及び前記第二センサ区域がタッチされると前記電子装置は起動する。
【発明の効果】
【０００５】
本発明に係る電子装置は、正面及び側面に、第一センサ区域及び第二センサ区域がそれぞれ設置され、電子装置を起動する際、片手で第一センサ区域及び第二センサ区域をタッチすることができるので、便利である。
【図面の簡単な説明】
【０００６】
【図１】本発明の実施形態に係る電子装置の正面図である。
【図２】図１に示す電子装置の上面図である。
【図３】図１に示す電子装置が起動される状態を示す図である。
【図４】図１に示す電子装置の起動方法のフローチャートであるである。
【発明を実施するための形態】
【０００７】
図１及び図２に示したように、本発明の実施形態に係る電子装置１０は、携帯電話、タブレットパソコン、ゲーム機などの携帯式電子製品である。
【０００８】
電子装置１０内には、マザーボード、プロセッサ、記憶装置などの電子部品が設置されている。電子装置１０は、正面１１及び正面の一側に垂直に連接する側面１２を備える。正面１１には、画面を表示するディスプレイ部１３が設置されている。他の実施形態において、ディスプレイ部１３は、タッチパネル機能を有し、タッチしてデータを入力できる。正面１１において、ディスプレイ部１３の上方には、第一センサ区域１１２が設置されている。側面１２には、第二センサ区域１２２が設置されており、ユーザのタッチ動作を感応できる。また、カーボンナノチューブ材料によって電子装置１０の表面を覆うので、第一センサ区域１１２及び第二センサ区域１２２の厚さを薄くできる。本実施形態において、側面１２は電子装置１０の上端に位置するが、他の実施形態において、側面１２は、電子装置１０の左側又は右側に位置しても良い。
【０００９】
図３に示したように、ユーザは電子装置１０を使用する際、片手で電子装置１０を握り、その手の第一指（例えば親指）を第一センサ区域１１２附近に位置し、第二指（例えば人差し指）を第二センサ区域１２２の附近に位置させる。電子装置１０を待機モードから仕事モードに切り替える時、第一指を第一センサ区域１１２にタッチさせ、第二指を第二センサ区域１２２にタッチさせる。一定の時間経過すると、電子装置１０内の制御ユニットは、電子装置１０を仕事モードに切り替える。
【００１０】
図４は、電子装置１０の起動方法であり、該起動方法は以下のステップを備える。
【００１１】
ステップ４０１において、第一センサ区域１１２及び第二センサ区域１２２が指のタッチをそれぞれ感応する。
【００１２】
ステップ４０２において、第一センサ区域１１２及び第二センサ区域１２２にタッチされた時間が設定値を上回るかどうかを判断し、上回った場合、ステップ４０４に進み、上回らなかった場合、ステップ４０３に進む。
【００１３】
ステップ４０３において、電子装置１０の待機モードを維持する。
【００１４】
ステップ４０４において、電子装置が待機モードから仕事モードに切り替わる。
【００１５】
他の実施形態において、以上のように設定して、電子装置１０をオフ状態から、オン状態にすることも可能である。
【符号の説明】
【００１６】
１０  電子装置
１１  正面
１１２  第一センサ区域
１２  側面
１２２  第二センサ区域
１３  ディスプレイ部
【図１】
2014155220.tif 000003
【図２】
2014155220.tif 000004
【図３】
2014155220.tif 000005
【図４】
2014155220.tif 000006
(57)【要約】      （修正有）【課題】従来の焼成機器は、例えばのし餅が１５ミリの物を焼く場合、途中で電気の流れが止まり、再びヒーターが赤熱化するまで時間が掛かる。入力（スイッチ）の場合の瞬間電流は大きな無駄が生じる。【解決手段】上部の電熱部機（ヒーター）を上下に作動することで、時間の無駄と電力の節電は使用者に貢献出来る。【選択図】図１
2014155686.tif 000002
【特許請求の範囲】
【請求項１】
食品焼成調理機器に於いて発熱部材の上部が食品の厚さに応じて、上下出来、熱効率の向上と時間の短縮。節電を目的とした食品焼成用調理機器。
【発明の詳細な説明】
【発明の詳細な説明】
【技術分野】
【００１】  本発明は、熱効率と節電を目的とした焼成機器で、食品の厚さ又は高さによって上部のヒーターが上下するため、時間の短縮と節電可能な食品焼成機器。
【背景技術】
【００２】  従来の食品焼成機器（トースター）は、電熱部材（ヒーター）など固定式で、市販の切り餅など焼成する場合時間が掛かるか、又は断電する場合が多い。
【発明が解決しようとする課題】
【００３】  機器内両サイドのネジ軸は、下部の小形モーターは図１の１−１又は１−２の入力スイッチで可動が出来、電熱部材（ヒーター）上部が上下することで、時間の短縮と節電が可能となる。
【課題を解決するための手段】
【００４】  小形モーターに連接したネジ軸に、角型ナットとブラケットが発熱部機・通称ヒーターが結合。入力スイッチによって、上下に作動。食品、例えばのし餅の厚いものは符号１と２の入力スイッチを使用して、時間の短縮と節電が出来る食品焼成機器。
【発明実施の形態】
図−１  食品焼成機の横断面図でＡの容器内にＢ−１の回転軸にＢ−２のブラケット発熱部材（ヒーター）が結合・降下した状態を示す図で、Ｃはモーターを示し、Ｅは電線を示し、それぞれのＨは組立て結合用のネジ又はビスを示し、    １−１は上昇用の入力スイッチで１−２は下降用を示し、２は隔壁を示し、３は金網を示し、４は操作装置の組込み用スペースを示し、５は設置用のゴム足でＮのスポット溶接から成る。
図−２  始動モーター軸と一体化したＢ−１とモーターＣを示し、Ｅの電線６の取り付け穴から成る。
図−３  発熱体（ヒーター）Ｄ−２の破断平面図で、Ｂ−１は軸を示し、Ｂ−２はブラケットを示し、Ｈはビスネジを示し、Ｅは電線を示し、Ｆは角型のナットを示し、Ｎのスポット溶接から成る。
【図１】
2014155686.tif 000003
【図２】
2014155686.tif 000004
【図３】
2014155686.tif 000005
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
食品焼成調理機器の上部ヒーターが、焼成量又は厚さによって、上下に可動断電を防止する、食品焼成機器。
【手続補正２】
【補正対象書類名】明細書
【補正対象項目名】全文
【補正方法】変更
【補正の内容】
【発明の詳細な説明】
【００１】  本発明は、直流モーターの正逆転を応用。焼成時間の短縮を目的としたヒーターに関する装置。
【背景技術】
【００２】  従来、この種の物は、上下のヒーターは固定式が主たるもので、のし餅など焼く場合時間が掛かるか、又は断電して不都合であった。
【発明が解決しようとする課題】
【００３】  両サイドに、直流モーターにネジが一体化したものに、上部両サイドブラケットの中間にヒーターがあり、上下動２個のスイッチで可動する。
【課題を解決するための手段】
【００４】  焼成する場合、食品の厚さを有する場合タイマーにズレが生じ断電する。直流モーターとネジ軸が一体化した両サイドの中間に、ヒーターをセットする事で解決する。
【発明実施の形態】
図−１  食品焼成機器の横断面の概要図で、Ａは外側容器で内部容器２の上部に押入されたヒーターとモーターが一体化した回転軸Ｂ−１に、点線図Ｂ−２はヒーターのブラケットを示すもので、Ｄ−２はヒーターを示し、此の図はヒーターが下降した図で、Ｃのモーターの正逆転によってヒーターが上下出来る事を示す。１−１は上昇用のスイッチを示し１−２は下降用のスイッチを示し、３は金網を示し、４は作動部品等の収容スペースを示し、５は一部破断線入りのゴム足を示し、それぞれのＥは電線を示し、Ｐは機器取り付けパネルの一部分を示し、それぞれのＮはアーク溶接又はスポット溶接を示し、それぞれのＨはネジ又はビスネジから成り矢印の動きから成る。
図−２  上部ヒーターとブラケットの結合を示す単体図で、Ｂ−１は回転軸の一部を示し、Ｂ−２はヒーターとの間を結合、ブラケットを示し、Ｆのネジ（ナット）はＮのアーク溶接によって結合。Ｄ−１はヒーターを示し、Ｈ−１はヒーターとブラケットの結合ネジを示し、Ｅは入力電線の一部を示し、Ｎのアーク溶接から成る。
図−３  ヒーターＤ−２が上下運動を示す系統図で、Ｗはインバーター又は電池からの導電を示し、Ｐのパネルに固着されたスイッチ１−１は矢印方向に、１−２は下降を示す矢印で、Ｂ−１は回転軸を示し、Ｆはネジ（ナット）を示し、ＣはＤ．Ｃ．モーターを示し、左右のＥ（＋）（−）はＡＣ電源に結合を示し、６はモーターと容器の固着穴を示し、それぞれの矢印の動きからなる。
【図面の簡単な説明】
【図１】食品焼成機器内、上部ヒーターＤ−１が上下動を示す、横断面の概要図。器内点線図Ｄ−１が下降した展開を示し、作動はＤ．Ｃ．モーターＣの正逆転を応用、パネル１−１は入力スイッチを示し、１−２は下降で矢印のように入力によってヒーターが作動する。
【図２】ヒーターＤ−１の単体構成図で、両サイドＨ−１のブラケットにヒーターＤ−１の組付けを示す。
【図３】上部ヒーターの上下動を示す部分系統図で、Ｐのパネルに固着された１−１は上昇用スイッチを示し、１−２は下降を示し、モーターＣと回転軸Ｂ−１は一体を示し、Ｗはインバーター又は電池からの入力を示し、それぞれの矢印は動き又は流れを示す。
【手続補正３】
【補正対象書類名】図面
【補正対象項目名】全図
【補正方法】変更
【補正の内容】
【図１】
2014155686.tif 000006
【図２】
2014155686.tif 000007
【図３】
2014155686.tif 000008
(57)【要約】      （修正有）【課題】小さくなった石けんを有効に活用するための固形石けん押圧ベルトを提供する。【解決手段】伸縮押圧ベルト１の中央部を卵型押さえ部２とし、卵型押さえ部の縁に沿って突起部３を設け、押圧ベルトの端に係り止め部材の雄部面ファスナー４を設け、その裏側全体が係り止め部材の雌部面ファスナー５になっており、伸縮押圧ベルトにより、石けん同士を一体化させる。【選択図】図１
2014155685.tif 000002
【特許請求の範囲】
【請求項１】
伸縮押圧ベルトの中央部に卵型押さえ部を設け、卵型押さえ部の縁に沿って突起部を設け、押圧ベルトの端に係り止め部材の雄部面ファスナーを設け、その裏側全体が係り止め部材の雌部面ファスナーになっていることを特徴とした固形石けん押圧ベルト。
【発明の詳細な説明】
【技術分野】
【０００１】  本発明は、小さくなった固形石けんと新品の固形石けんを合体させる固形石けん押圧ベルトに関するものである。
【背景技術】
【０００２】  石けんを使用していくうちに、石けんが小さくなり使用しづらく、廃棄をするケースが多くあった。現状では廃棄せずに、小さくなった石けんを新品の石けんに手の力で押し付けて一体としてから使用していた。
その他の方法として、容器の中に新品の石けんと小さくなった石けんを入れ、２つの石けんが合体するように上から圧力をかけて石けんを合体させる石けん圧着器が知られている。（特許文献参照）
【先行技術文献】
【０００３】
【特許文献１】  実用新案登録第３０６８７６９号公報
【発明の概要】
【発明が解決しようとする課題】
【０００４】  石けんを使用して行くうちに、最後は小さくなり使用しづらく、廃棄するケースが多くあった。最後まで使用する方法として、小さくなった石けんを新品の石けんに手の力で押し付けて一体として使用していたが、うまく一体とならなく剥がれてしまい何度も同じことを繰り返すという問題があった。
本発明の目的は、石けんが消費され小さくなっても新品の石けんと合体させて、最後まで有効に使い切ることができる固形石けん押圧ベルトを提供することにある。
本発明は、以上の問題点を解決するためになされたものである。
【課題を解決するための手段】
【０００５】  本発明は、伸縮できる押圧ベルトであって中央部を卵型押さえ部とし、卵型押さえ部の縁に沿って突起部を設け、押圧ベルトの端に係り止め部材の雄部面ファスナーを設け、その裏側全体が係り止め部材の雌部面ファスナーになっていることを特徴とした固形石けん押圧ベルト。
【発明の効果】
【０００６】  石けんを使用していくうちに、石けんが小さくなり使用しづらく、廃棄をするケースが多くあったが、本発明により石けんを有効に活用することができる。廃棄する変わりに、新品の石けんに使用して小さくなった石けんを手の力で押し付けて一体として使用していたが、本発明によりそのような作業がなくなった。本発明を使用することにより、手の力で押し付けていたよりも均一に合体させ、しかも丸みを帯びた状態で合体させることが可能になった。
【図面の簡単な説明】
【０００７】
【図１】本発明の斜視図である。
【図２】本発明を裏返しにした斜視図である。
【図３】本発明の使用状態を示す斜視図である。
【発明を実施するための形態】
【０００８】  以下、本発明の形態を説明する。
（イ）伸縮押圧ベルト（１）の中央部を卵型押さえ部（２）を設ける。
（ロ）卵型押さえ部（２）の縁に沿って突起部（３）を設けている。
（ハ）伸縮押圧ベルト（１）の端に係り止めの雄部面ファスナー（４）を設けている。
（ニ）裏側全体に雌部面ファスナー（５）を設けている。
本発明は以上のような構造である。
本発明を使用するときは、新品の石けんを軽く濡らし、小さくなった石けんを新品の石けんに添える。新品の石けんと小さくなった石けんを伸縮押圧ベルト（１）の卵型押さえ部（２）で軽く押さえ、卵型押さえ部（２）の縁に沿って突起部（３）の中に小さくなった石けんが外れないように入れる。伸縮押圧ベルト（１）を張りながら端部にある雄部面ファスナー（４）と裏面全体が雌部面ファスナー（５）になっている面ファスナーを合わせて係り止めする。そうすることにより、伸縮押圧ベルトを任意の位置に止めることができる。また、伸縮押圧ベルト（１）の片面全体が雌部面ファスナー（５）ではなく、端に一部設けてあっても伸縮押圧ベルト（１）を巻くことができる。
【符号の説明】
【０００９】１伸縮押圧ベルト
２卵型押さえ部
３突起部
４雄部面ファスナー
５雌部面ファスナー
６小さくなった石けん
７新品の石けん
【図１】
2014155685.tif 000003
【図２】
2014155685.tif 000004
【図３】
2014155685.tif 000005
(57)【要約】      （修正有）【課題】男性の、残尿の漏れによる衣類の汚れや匂いを防ぐ簡易尿失禁受け止め用袋を提供する。【解決手段】男性の性器を挿入するのに支障が無い大きさの、残尿の失禁を受け止める縦長の袋を装着する。袋の内部には吸水性の材料を使用する。【選択図】図１
2014155682.tif 000002
【特許請求の範囲】
【請求項１】
本発明の特許請求の範囲は、図面にしるしたように縦長の袋であり、尿失禁受け止め用の袋である。袋の内部には吸水性の材料を使用する事である。
【請求項２】
本発明の大きさは、男性の性器を挿入するのにまったく、支障が無い大きさとする。
【発明の詳細な説明】
【技術分野】
【０００１】  人は誰しも老齢になると排尿後は、尿切れが悪くなり自分でも気が付かずに、下着パンツ、あるいはズボン等を汚してしまう事が多くある。そこで現在は、“パンツ式おむつ”や、”少量失禁受けパンツ”等が、市販されているが、それらは、大袈裟すぎて出先のトイレ等では着替えたりする事は、大変面倒である。それを気軽に付け替えが出来るようにし、老人性匂いを防ぎ清潔を保てるようにするために、この”簡易尿失禁受け止め用  袋”を男性の性器に直接取り付けられるようにして、衣類を汚す事を防ぐ為の考案である。
【背景技術】
【０００２】本発明の“簡易尿失禁受け止め用  袋”の袋内は柔らかく吸水性の材料を使用し、少量の尿が漏れない袋にする。これを男性の性器に直接取り付け、入れぐちは多少伸縮する糊付きテープを使用して普段は外れて落ちないようにする。その本発明品“簡易尿失禁受け止め用袋”を複数携帯する事で必要な時には簡単に付け替える事ができる。このように便利にして簡易に衛生を保つ事を目的としている。
【先行技術文献】
【特許文献】
【０００３】
【特許文献１】
【発明の概要】
【発明が解決しようとする課題】
【０００４】  現在の社会において老齢人口は着実に増えている。老齢による体の筋肉の衰えにより男性にも排尿が終わってから、尿の切れが思うようにはいかない場合が多い。即ち残尿のことである。たとえば大切な会議やパーテイ等でトイレを利用して排尿の後、切れが悪い残尿をどのように受け止めるか。うっかりズボンの前を濡らしていてはとても、みっともない。かと言って“パンツオムツや簡易パンツ“は大袈裟であり着替えも容易ではなく更に安価ではない。
【課題を解決するための手段】
【０００５】本発明品は、老齢になった男性が廃尿の後に尿切れが悪くなり、残量（少量）の尿が気付かずに残っていて失禁してしまう場合が多く、それを受け止めて、衣類を汚してしまう事を防ごうとするものである。現在は大人用のオムツやパンツが商品として売り出されているが、そのように大袈裟ではなく簡易に失禁を受け止められる商品として、本発明の”簡易尿失禁受け止め用袋”を付け替えて使用する事により老人性の匂いを防ぎ、衛生を保とうとするものである。
【発明の効果】
【０００６】    本発明の”簡易尿失禁受け止め用  袋”この吸水性の袋は普段、男性の性器に直接付け、簡単に着脱が出来汚れや匂いを防ぎ衣類を汚さない事で衛生を保つ事が目的であり、さらに現在市販されている、“パンツ式おむつ”や、失禁受けパンツ”等に比べて、携帯が簡便で使用に際し着脱が簡単であり安価に出来ることである。
【図面の簡単な説明】
【０００７】
【図１】  本発明の平面図である。大きさに関しては、大小があり男性性器を余裕があって挿入できる大きさであり“ｍｍ”は決められない
【発明を実施する為の形態】
【０００８】  本発明の”簡易尿失禁受け止め用  袋”の平面図である。
【符号の説明】
【０００９】  １  本体
【図１】
2014155682.tif 000003
(57)【要約】【課題】  従来のネイルシール、装飾は、出来上がった物しかなくサイズも調節が出来なかった。また、オリジナリティーに欠けていた。【解決手段】  図画・画像を、基材に印刷して、さらに印刷した図画・画像を、使う範囲にカットし印刷されている面に透明のフィルムを張り、印刷されていない裏面に接着剤を塗布する事によって、オリジナリティー溢れる装飾が出来る。【選択図】図１
2014155683.tif 000002
【特許請求の範囲】
【請求項１】
爪面や、ネイルチップなどに装飾を施す装飾手段であって、任意の図画・画像を希望サイズに基材に印刷し、さらに印刷した図画・画像を、使う範囲にカットし印刷されている面に透明のフィルムを張り、印刷されていない裏面に接着剤を塗布したシールである。
【発明の詳細な説明】
【技術分野】
【０００１】  本発明は、ネイル・ネイルチップまたはプラスチック素材類に装飾を施す為に使用するシールに関する。
【背景技術】
【０００２】  従来のネイルなどの装飾シールは、出来上がったシールによるものであった。
【先行技術文献】
【特許文献】
【０００３】
【特許文献１】特開  ２０１２−１６７７１２号  広報
【発明の概要】
【発明が解決しようとする課題】
【０００４】  従来のネイルなどの装飾シールは、出来上がったものしかなくサイズも調節出来なかった。また、オリジナリティーに欠けていた。
【課題を解決するための手段】
【０００５】  本発明は、上記課題を達成する為に、任意の図画・画像からシールを作成する事によって多種多様のデザインの装飾シールが出来る。
【発明の効果】
【０００６】  本発明の装飾シールを使う事によって、個人の思い出の図画・画像をサイズ調節も可能にし、オリジナリティーがある装飾が出来る。
【図面の簡単な説明】
【０００７】
【図１】本発明の実施形態に係る装飾シールの断面図である。
【図２】本発明の装飾シールの使用した例の平面図である。
【発明を実施するための形態】
【０００８】以下、実施例を挙げて本発明を具体的に説明するが、本発明は下記の実施例に限定されるものではない。寸法も実際の各寸法の比を表しているものではなく、図面は単に概略図として表したものである。さらに、本明細書において「爪」とは、特に指定されない限り、ヒト又はその他の動物の足及び手の爪、ならびに人工爪のいずれも含む。
【実施例】
【０００９】本実施例のネイル用の装飾シールは、次の材料から構成される。
透明フィルム    セロハンテープ
接着剤          両面テープ
基材            コピー用紙【００１０】任意の図画・画像をパソコンに取り込み、図画・画像をエクセルで好きなサイズに縮小させて、基材に印刷する。印刷した基材を、装飾に使うサイズにカットする。使用する基材の印刷した側に隙間が出来ないように、透明フィルムを張り、裏の印刷されていない側に両面テープを張り、最後にはみ出た部分をカットして整えたら、好きなに箇所に張り付ける。（図２）
【変形例】
【００１１】  本発明の装飾シールを、プラスチック製の携帯カバーや、ネイルチップなどにも同様に装飾が出来る。
【産業上の利用可能性】
【００１２】  本発明の装飾シールを使う事によって、今までにない世界で一つだけの、オリジナルネイルが出来、ファッション性だけではなく結婚式などの晴れ舞台で、個人の思い出の詰まった装飾が出来る。
【符号の説明】
【００１３】    ａ  透明フィルム
ｂ  接着剤
１０  本発明の装飾シール
１  基材
１２  ネイル
１３  手
２０、２１ストーン（アート例として）
【図１】
2014155683.tif 000003
【図２】
2014155683.tif 000004
(57)【要約】      （修正有）【課題】生活習慣病の体質改善や健康維持に、多大な効果を引き出す薬草茶を提供する。【解決手段】効果成分を持つ植物、野菜・薬草・果樹の１３種類（よもぎ（葉・茎）、いのこづち（葉・茎）、おおばこ（全草）、うら白柏（市販）、甘草（葉・茎）、おとこえし（葉・茎）、くま笹、いちぢくの葉、柿の葉、桑の葉、ふきの葉、なすびの葉、かきどおし（葉・茎））を組み合わせた薬草茶。【選択図】なし【特許請求の範囲】
【請求項１】
効果成分を持つ植物、野菜・薬草・果樹の１３種類を組み合わせ、配合の分量、試飲を重ね、大幅な体質改善・健康維持を保つ薬草茶。
【発明の詳細な説明】
【発明の詳細な説明】
この発明は、野菜・薬草・果樹を合わせた薬草茶である。花・実・種をつけた成長した植物の葉・茎（全部）を使用する。
９種類の植物を使用していたが、あらゆる分野に効果を結集させるため、新たに４種類を加え１３種類の組み合わせと分量を確定し、生活習慣病の体質改善や健康維持に重大かつ、多大な効果を引き出す薬草茶を完成させたのである。
今までに例のない安心して幼児も飲める飲みやすさで、多大な体質改善を可能にしたのである。以下が現在、現実に行っていることである。
Ｃ型肝炎  ２回目のインターフェロンを受ける直前に薬草常飲茶の飲用を開始、２ヶ月で全て正常値となった。以後、薬と薬草常飲茶のみで健康を維持されている。
発症直後の人は、正常値になった。
糖尿病  薬草常飲茶の飲用開始から食事のコントロールがし易くなり、約１年半後、インスリンの量が減り始め、半年後には、インスリンの投与がなくなり、薬のみとなる。
ピロリ菌  胃にぎっしりあったピロリ菌が減少した。
上記はどれも病院で治療を受けながら、薬草常飲茶との併用で改善した例である。
その他、花粉症の軽減、インフルエンザの軽減、強張った関節を柔らかくする効果もある。
現在、脳梗塞の方が１人飲まれている。
使用する植物と分量
よもぎ（葉・茎）・いのこづち（葉・茎）・おおばこ（全草）      各５ｇ
うら白柏（市販）・甘草（葉・茎）・おとこえし（葉・茎）        各４ｇ
くま笹・いちぢくの葉                                          各２ｇ
柿の葉                                                      ２．５ｇ
桑の葉・ふきの葉・なすびの葉・かきどおし（葉・茎）            各１ｇ
上記の植物をよく洗い、天日自然乾燥後、細かく刻み、よく混合させる。
以上は、２８年にも及ぶ薬草追求の結果、完成させたものである。薬草常飲茶の効果は、現在、現実に皆様の報告を受ける事で、３年以上に亘り得たデータである。
(57)【要約】【課題】この発明は、上記の洗浄不良問題を解決するには、洗浄効果を有するアルカリ性電解水の用法ではなく、酸性電解水の用法を検討することにより解決を図ろうとするものである。【解決手段】殻付生卵の洗浄方法において、先ず、事前に湯水やアルカリ性電解水（１）で殻付生卵を洗浄する工程と、該工程で卵黄染み（Ａ）の残った殻付生卵（Ｘ）を、適宜な時間、酸性電解水（２）に浸漬する工程からなることを特徴とする殻付生卵の卵黄染みの洗浄方法である。【選択図】    図１
2014155438.tif 000002
【特許請求の範囲】
【請求項１】
殻付生卵の洗浄方法において、
先ず、事前に湯水やアルカリ性電解水で殻付生卵を洗浄する工程と
該工程で卵黄染みの残った鶏卵を、適宜な時間、酸性電解水に浸漬する工程からなる
ことを特徴とする殻付生卵の卵黄染みの洗浄方法。
【請求項２】
前記酸性電解水の水質が、
ｐＨ５以下の酸性領域であって
かつ、有効塩素濃度が、２０〜６０ｐｐｍの範囲である
ことを特徴とする請求項１記載の殻付生卵の卵黄染みの洗浄方法。
【請求項３】
酸性電解水への浸漬時間が、１〜５分程度である
ことを特徴とする請求項１または２記載の殻付生卵の卵黄染みの洗浄方法。
【発明の詳細な説明】
【技術分野】
【０００１】
この発明は、殻付生卵の卵黄染み洗浄方法に関するものであり、特に、鶏卵における卵黄染みを洗浄対象とする洗浄方法である。
【背景技術】
【０００２】
従来、鶏舎にて採取された鶏卵は、鶏糞で汚れる以外に、採取および輸送される際にわずかながら破殻したものから白身及び黄身によって汚損されている。
【０００３】
それらの汚損は洗卵機内で温水およびブラシなどの物理洗浄されるが、数パーセントの卵に黄身の染み汚れが残り、それらは物理的な洗浄では容易に取り除くことができないため、製品としては出荷できなくなるという欠点があった。
【０００４】
しかし、この問題を解決すれば、歩留まりの向上を計ることができ、鶏卵業界の発展に寄与できることになるものである。
【０００５】
このため、従来より、鶏卵の洗浄には湯水、殺菌には次亜塩素酸ナトリウム水溶液が用いられているが、各種発明において、塩などの電解質を水に溶解して電気分解して得られるアルカリ性の水（アルカリ性電解水）と酸性の水（酸性電解水）によって、鶏卵を洗浄殺菌する方法はいくつかの特許文献に見受けられる。例えば、特許文献１のように。
【先行技術文献】
【特許文献】
【０００６】
【特許文献１】特開２０１０−７５１９３号公報
【０００７】
その方法はアルカリ性電解水は常温もしくは加温され卵の表面に付着した卵白や卵黄、鶏糞などの有機物を除去するものとしてブラシや水圧・水流を付加して使用されている。
【０００８】
酸性電解水は含まれる次亜塩素酸によって卵殻表面に付着する大腸菌群やサルモネラ菌を殺菌するために使用することが知られている。
【０００９】
しかしながら、それらの電解水洗浄においても、前述の卵黄による染みが発生することは本願出願人の検証実験でも確認されている。
【発明の概要】
【発明が解決しようとする課題】
【００１０】
そのため、この発明は、上記の洗浄不良問題を解決するには、洗浄効果を有するアルカリ性電解水の用法ではなく、酸性電解水の用法を検討することにより解決を図ろうとするものである。
【課題を解決するための手段】
【００１１】
そこで、この発明は、上記の課題を解決すべく、鋭意研究を重ねた結果、殻付生卵を湯や水を使用し、ブラシ洗浄した際に殻付生卵の表面に残る卵黄染みを、環境負荷を与えず、短時間で効率よく取り除く殻付生卵の卵黄染みの洗浄方法を提供するものである。
【発明の効果】
【００１２】
この発明によると、ｐＨ５以下の酸強度を持つ酸性電解水中では、卵殻表面が少し溶けるため、細部に染み込んだ汚れを除去出来る効果を有する。
【００１３】
但し、卵の品質への影響は酸で表面の卵殻が溶けても、殻の内側に存在している卵殻膜は溶けることがないため安心して使用できる。そもそも、卵殻膜はタンパク質であり、外卵殻膜と内卵殻膜の二層から成り立っており、ともに卵殻に密着しているので、卵の表面には気泡（卵黄の成長に必要な酸素を取り入れている）が存在しているが、これらの理由から酸性電解水は浸透できないようになっているため、安全性は確保できる。
【００１４】
また、酸性電解水自体も食品添加物の殺菌料：次亜塩素酸水として認可を受けているため、食品への使用時の安全性は確認されている。
【図面の簡単な説明】
【００１５】
【図１】この発明の一実施例を示す説明図である。
【発明を実施するための形態】
【００１６】
以下、本発明について詳細に説明する。なお、本発明においては、以下の記述に限定されるものではなく、本発明の要旨を逸脱しない範囲においては適宜変更可能である。
【実施例】
【００１７】
そこで、この発明の一実施例を図１に基づいて詳述すると、殻付生卵の洗浄方法において、先ず、事前に湯水やアルカリ性電解水（１）で殻付生卵を洗浄する工程と、該工程で卵黄染み（Ａ）の残った殻付生卵（Ｘ）を、適宜な時間、酸性電解水（２）に浸漬する工程からなることを特徴とする殻付生卵の卵黄染みの洗浄方法から構成される。
【００１８】
尚、前記酸性電解水（２）の水質が、ｐＨ５以下の酸性領域であって、かつ、有効塩素濃度が、２０〜６０ｐｐｍの範囲であることを特徴とする殻付生卵の卵黄染みの洗浄方法である。よって、使用する酸性電解水の液性はその規格に準じた製法および水質のものを使用することが望ましい。
【００１９】
さらに、前記の卵黄染み（Ａ）の残った殻付生卵（Ｘ）を、酸性電解水（２）に浸漬する時間は、少なくとも１分以上であれば効果があり、より確実には、３〜５分程度であることを特徴とする殻付生卵の卵黄染みの洗浄方法である。
【００２０】
よって、使用する酸性電解水の液性はその規格に準じた製法および水質のものを使用することが望ましい。
【産業上の利用可能性】
【００２１】
この発明によると、殻付生卵の卵黄染みの洗浄方法の技術を確立し、その確立された技術に基づいて、製造・販売することにより、産業上の利用可能性があるものである。
【符号の説明】
【００２２】
１  湯水やアルカリ性電解水
２  酸性電解水
Ａ  卵黄染み
Ｘ  殻付生卵
【図１】
2014155438.tif 000003